(57)【特許請求の範囲】
【請求項１】
筒状のハウジングと，該ハウジング内に挿入配置された検出素子よりなる酸素濃度検出器において，
上記検出素子はハウジングに設けられた傾斜状受面によって支持されるツバ部を有し，上記ツバ部はハウジングの上記傾斜状受面に対向する位置にテーパ部を有し，該テーパ部の外周部分にはハウジングの傾斜状受面と当接する当接部を有し，
かつ上記検出素子は上記当接部を介してのみハウジングの傾斜状受面に支承されているとともに，上記ツバ部におけるテーパ部の開き角α（度）と，上記ハウジングにおける傾斜状受面の開き角β（度）との間には，α＞βの関係が成立していることを特徴とする酸素濃度検出器。
【請求項２】
請求項１において，上記検出素子はパッキンを介してハウジングの傾斜状受面に支承されていることを特徴とする酸素濃度検出器。
【請求項３】
筒状のハウジングと，該ハウジング内に筒状の絶縁碍子を介して挿入配置された検出素子よりなる酸素濃度検出器において，
上記検出素子は絶縁碍子に設けられた傾斜状受面によって支持されるツバ部を有し，上記ツバ部は絶縁碍子の上記傾斜状受面に対向する位置にテーパ部を有し，該テーパ部の外周部分には絶縁碍子の傾斜状受面と当接する当接部を有し，
かつ上記検出素子は上記当接部を介してのみ絶縁碍子の傾斜状受面に支承されているとともに，上記ツバ部におけるテーパ部の開き角α（度）と，上記絶縁碍子における傾斜状受面の開き角γ（度）との間には，α＞γの関係が成立していることを特徴とする酸素濃度検出器。
【請求項４】
請求項３において，上記絶縁碍子は上記検出素子又はハウジングとの間の少なくとも一方にパッキンを介して配置されていることを特徴とする酸素濃度検出器。
【請求項５】
請求項３又は４において、上記絶縁碍子は、上記ハウジングに設けられたハウジングの傾斜状受面によって支持される絶縁碍子のテーパ部を有しており、かつ、該絶縁碍子のテーパ部は、上記ハウジングの傾斜状受け面に対向する位置にあり、
上記絶縁碍子のテーパ部の外周部分には、上記ハウジングの傾斜状受面と当接する絶縁碍子の当接部を有し、
かつ上記絶縁碍子は、上記絶縁碍子の当接部において上記ハウジングの傾斜状受面と当接しているとともに、上記絶縁碍子のテーパ部の開き角δ（度）と，上記ハウジングの傾斜状受面の開き角β（度）との間には，δ＞βの関係が成立していることを特徴とする酸素濃度検出器。
【請求項６】
請求項５において，上記絶縁碍子は、上記絶縁碍子の当接部に設けたパッキンを介してのみ、上記ハウジングの傾斜状受面に支承されていることを特徴とする酸素濃度検出器。
【発明の詳細な説明】
【０００１】
【産業上の利用分野】
本発明は，自動車エンジンの空燃比制御等に使用される酸素濃度検出器に関する。
【０００２】
【従来技術】
図１６に示すごとく，酸素濃度検出器は，例えば，筒状のハウジングと，該ハウジング内に挿入配置された検出素子よりなる（後述の図１参照）。
上記検出素子９２は，ハウジング９０に設けられた傾斜状受面９１によって支持されるツバ部９２０を有している。上記ツバ部９２０はハウジング９０の上記傾斜状受面９１に対向する位置にテーパ部９３を有し，該テーパ部９３はハウジング９０の傾斜状受面９１と当接する当接部９３１を有する。
【０００３】
また，上記ツバ部９２０の上方からは，検出素子９２をハウジング９０に固定し，酸素濃度検出器内部の気密性を保持するために，粉体１３がパッド１４及びサポータ１５により加圧充填されている。これにより，酸素濃度検出器における基準ガス室と被測定ガス室とにおけるガスの混入が防止できる。
【０００４】
【解決しようとする課題】
ところで，図１６に示すごとく，上記ハウジング９０及び検出素子９２を製造するに当たって，製造誤差等を原因として，上記テーパ部９３の開き角αと，傾斜状受面９１の開き角βとの間に，α＜βという関係が成立することがある。
この時，上記テーパ部９３における内周部分が，傾斜状受面９１と当接する当接部９３１となり，検出素子９２は，最も薄肉の部分において，傾斜状受面９１からの力を受けることとなる。
【０００５】
即ち，後述する図６に示すごとく，上記傾斜状受面よりテーパ部上のＡ’部が受ける力Ｗ’による主応力Ｆ’は，面Ｓ’に対して作用する。面Ｓ’の面積はＡ’部が，テーパ部における最内周部分である場合に最少となる。従って，この時，単位面積当たりにかかる主応力が最大となる。
【０００６】
このため，図１６に示す酸素濃度検出器を組付けるに当たって，粉体１３を加圧充填する際等に，検出素子９２に上述のごとき力がかかり，該検出素子９２にひびがはいる，割れるという素子割れが生じるおそれがある。
【０００７】
更に，上記素子割れ防止のために，加圧充填時の圧力を低くした場合には，酸素濃度検出器の気密性が不十分となるおそれがある。
更に，検出素子の剛性を増加させるため，より径の太い大型の検出素子を用いた場合には，酸素濃度検出器が大型化する。
【０００８】
本発明は，かかる問題点に鑑み，検出素子を大型にすることなく，素子割れのない，ハウジングへの検出素子の組付けが確実で，気密性に優れた酸素濃度検出器を提供しようとするものである。
【０００９】
【課題の解決手段】
本発明は，筒状のハウジングと，該ハウジング内に挿入配置された検出素子よりなる酸素濃度検出器において，
上記検出素子はハウジングに設けられた傾斜状受面によって支持されるツバ部を有し，上記ツバ部はハウジングの上記傾斜状受面に対向する位置にテーパ部を有し，該テーパ部の外周部分にはハウジングの傾斜状受面と当接する当接部を有し，
かつ上記検出素子は上記当接部を介してのみハウジングの傾斜状受面に支承されているとともに，上記ツバ部におけるテーパ部の開き角α（度）と，上記ハウジングにおける傾斜状受面の開き角β（度）との間には，α＞βの関係が成立していることを特徴とする酸素濃度検出器にある。
【００１０】
本発明において最も注目すべきことは，検出素子がテーパ部の外周部分にハウジングの傾斜状受面と当接する当接部を有し，上記検出素子は上記当接部を介してのみハウジングの傾斜状受面に支承されていることである。
上記外周部分とは，テーパ部において最も検出素子中心から離れている領域，即ち，テーパ部と検出素子側面との境界となる稜線及び該稜線の近傍の領域である。
【００１１】
そして，上記外周部分の全面が当接部となることが好ましい。この時，検出素子とハウジングとの接触面積が最大となるため，検出素子がハウジングに対して安定配置されると共に強度的にも優位となる。また，上記外周部分の一部を当接部とすることもできる。
また，上記当接部には，後述するごとく，パッキン等を介装し，間接的に当接部と傾斜状受面とを当接させることもできる。いずれにせよ，上記当接部を通じて，傾斜状受面からの力が検出素子に作用する。
【００１２】
また，上記ツバ部におけるテーパ部の開き角α（度）と，上記ハウジングにおける傾斜状受面の開き角β（度）との間には，α＞βの関係が成立している（図３参照）。
【００１３】
次に，上記検出素子はパッキンを介してハウジングの傾斜状受面に支承されていることが好ましい。
上記パッキンは弾性体であるため，傾斜状受面からの力によってパッキン自身が容易に歪むことができる。これにより，パッキンが検出素子にかかる片当たり等による集中荷重の力を吸収することができる。
【００１４】
また，上記パッキンは，単独構成としても良いし，素子あるいはハウジングに介装して構成しても良い。この場合の例を以下に示す。
上記パッキンはテーパ部又は傾斜状受面のいずれかに一方に設けることができる。上記パッキンをテーパ部に設ける場合には，パッキンの上面をテーパ部の当接部に対して密着配置する。そして，上記パッキンの外周部分において，ツバ部が傾斜状受面と当接する（図７参照）。
一方，上記パッキンを傾斜状受面に設ける場合には，パッキンの下面を傾斜状受面に対して密着配置する（図８参照）。
【００１５】
また，上記パッキンの形状は，例えば，中央に検出素子を挿通する穴を設けた環状体である。更に，上記パッキンの外径は，ツバ部の外径よりも大きいことが好ましい。この場合には，パッキンが検出素子とハウジングとの間の隙間を封止することができる。また，酸素濃度検出器の気密性を一層保つこともでき，よって基準ガス室内に被測定ガスが侵入すること等を防止することができる。
なお，上記パッキンは，ステンレス鋼材，ニッケル材等の耐熱合金を用いる。
【００１６】
次に，上述とは異なる構成の酸素濃度検出器について以下に説明する。
即ち，筒状のハウジングと，該ハウジング内に筒状の絶縁碍子を介して挿入配置された検出素子よりなる酸素濃度検出器において，
上記検出素子は絶縁碍子に設けられた傾斜状受面によって支持されるツバ部を有し，上記ツバ部は絶縁碍子の上記傾斜状受面に対向する位置にテーパ部を有し，該テーパ部の外周部分には絶縁碍子の傾斜状受面と当接する当接部を有し，
かつ上記検出素子は上記当接部を介してのみ絶縁碍子の傾斜状受面に支承されているとともに，上記ツバ部におけるテーパ部の開き角α（度）と，上記絶縁碍子における傾斜状受面の開き角γ（度）との間には，α＞γの関係が成立していることを特徴とする酸素濃度検出器がある。
【００１７】
また，上記ツバ部におけるテーパ部の開き角α（度）と，上記絶縁碍子における傾斜状受面の開き角γ（度）との間には，α＞γの関係が成立している。
【００１８】
上記絶縁碍子は上記検出素子又はハウジングとの間に，上述のパッキンを介して配置されていることが好ましい。これにより，上述の絶縁碍子のない酸素濃度検出器と同様に，検出素子又は絶縁碍子にかかる片当たり等による集中荷重の力をパッキンによって吸収することができる。
また，上述の絶縁碍子のない酸素濃度検出器と同様に，上記パッキンは単独構成としても良いし，テーパ部側，絶縁碍子側，傾斜状受面側，いずれの側にも貼着等により設けることもできる。
【００１９】
なお参考として，上記当接部は曲面としても良い。これにより，上記当接部にかかる力を分散させ，検出素子にかかる局部的な集中荷重の力をより軽減させることができる。
さらに参考として，上記当接部は突出部を有することも良い（図１４）。また，上記絶縁碍子の傾斜状受面は，上記当接部と当接する突出部を設けてもよい（図１５）。また，上記突出部は当接部全体に設けることも，部分的に設けることもできる。これにより，確実に素子のツバ部の当接面の外周部で力を受けることができる。
【００２０】
なお，上述の曲面である当接部，或いは当接部及び傾斜状受面の一方又は双方に突出部を設けることは，前記した検出素子とハウジングとが絶縁碍子を介することなく当接している場合にも適応することもできる。
【００２１】
【作用及び効果】
本発明の酸素濃度検出器においては，検出素子は，テーパ部における外周部分の当接部を介してのみハウジングの傾斜状受面に支承されている。よって，検出素子にかかる単位面積当りの力が最も小さくなり（後述の図６参照），素子割れが生じないか，あるいは生じにくくなる。従って，検出素子のハウジングへの組付けを確実に，大きな形状変更を行うことなく容易に行うことができる。
また，特定の当接部においてのみ当接しているため，検出素子のテーパ部及びハウジングの傾斜状受面の全く同一で全面で均等に当たる形状にするといった精度を良くする必要がない。よって，検出素子及びハウジングの加工が容易である。
【００２２】
また，素子割れによる不良が低減するため，酸素濃度検出器の製造に当たっての歩留まりが向上する。また，上記粉体の加圧時に高い圧力を加える等の，より大きな力で検出素子をハウジングに組付けることができるため，検出素子とハウジングとの間の気密性に優れた酸素濃度検出器が得られる。
また，それ故に，細く，薄い検出素子を，素子割れを生じることなく組付けることができるため，小型の酸素濃度検出器を容易に製造することができる。
【００２３】
上記のごとく，本発明によれば，素子割れがなく，ハウジングへの検出素子の組付けが確実で気密性が高い酸素濃度検出器を提供することができる。
【００２４】
【実施例】
実施例１
本発明の実施例にかかる酸素濃度検出器につき，図１〜図６を用いて説明する。なお，上記酸素濃度検出器は自動車エンジンの空燃比制御に使用される検出器である。
図１に示すごとく，本例の酸素濃度検出器１は，筒状のハウジング１０と，該ハウジング１０内に挿入配置された検出素子２よりなる。
【００２５】
そして，図１，図３に示すごとく，上記検出素子２はハウジング１０に設けられた傾斜状受面１１によって支持されるツバ部２０を有し，上記ツバ部２０はハウジング１０の上記傾斜状受面１１に対向する位置にテーパ部２１を有する。上記テーパ部２１の外周部分にはハウジング１０の傾斜状受面１１と当接する当接部２０１を有している。
【００２６】
図１，図３，図５に示すごとく，上記検出素子２は上記当接部２０１を介してのみハウジング１０の傾斜状受面１１に支承されているとともに，上記ツバ部２０におけるテーパ部２１の開き角α（度）と，上記ハウジング１０における傾斜状受面１１の開き角β（度）との間には，α＞βの関係が成立している。この時，上記当接部２０１は，傾斜状受面１１の外周部分１０１において，該傾斜状受面１１と当接する。
なお，上記ツバ部２０の上方には，粉体１３がパッド１４及びサポータ１５により加圧充填されている。上記粉体１３及びパッド１４，サポータ１５が，検出素子２をハウジング１０内に押圧固定している。
【００２７】
図２，図４に示すごとく，上記検出素子２は断面Ｕ字状のコップ型であって，該検出素子２の内部の大気室１１０には，ヒータ１２が挿入されている。また，上記ハウジング１０の下方に配置した排気カバー１６１及び１６２により，排気室１６０が形成されている。
一方，上記ハウジング１０の上方には，大気カバー１６８及び１６９が設けてある。なお，符号１９１はマイナスリード，１９２はプラスリードである。
【００２８】
次に，本例における作用効果につき説明する。
図６に示すごとく，ツバ部２０のテーパ部２１上にあるＡ部，又はＡ’部に力Ｗ，Ｗ’が作用した場合，上記Ｗ，Ｗ’による，主応力Ｆ，Ｆ’は面Ｓ，Ｓ’に対して作用する。面Ｓ，Ｓ’の面積は，同図より知れるごとく，Ｓ’が最小であり，Ｓが最大である。
このため，ＷとＷ’が等しければ，単位面積あたりにかかる主応力は，当接部がＡにある場合に，最少となる。
【００２９】
本例の酸素濃度検出器１は，図３に示すごとく，上記ツバ部２０におけるテーパ部２１の開き角α（度）と，上記ハウジング１０における傾斜状受面１１の開き角β（度）との間には，α＞βの関係が成立している。よって，上記当接部２０１は，図６に示す符号Ａの位置にある。
【００３０】
このため，検出素子２にかかる応力は最小となり，より大きな力を傾斜状受面１１から受けても，素子割れが生じない。このため，検出素子２の組付けも確実に容易に行える。
また，特定の当接部２０１においてのみ当接しているため，検出素子２のテーパ部２１及びハウジング１０の傾斜状受面１１の形状の同一や面仕上げにおいて，精度を良くする必要がない。よって，検出素子２及びハウジング１０の加工が容易である。
【００３１】
また，素子割れによる不良が低減するため，酸素濃度検出器１の製造に当たっての歩留まりが向上する。また，より大きな力で検出素子２をハウジング１０に組付けることができるため，本例の酸素濃度検出器１は検出素子２とハウジング１０との間の気密性に優れている。
【００３２】
更に，上記粉体１３の加圧充填における圧力をより高めることができるため，本例の酸素濃度検出器１は粉体１３の充填部分における気密性に優れている。
また，それ故に，細く，薄い検出素子２を，素子割れを生じることなく組付けることができるため，小型の酸素濃度検出器１を容易に製造することができる。
【００３３】
従って，本例によれば，素子割れがなく，ハウジングへの検出素子の組付けが確実で，気密性が高い酸素濃度検出器を提供することができる。
【００３４】
実施例２
本例は，図７（Ａ），（Ｂ）に示すごとく，検出素子２とハウジング１０との間に環状のパッキン５を介設した例である。
図７（Ａ）は，パッキン５をテーパ部２１に設けた酸素濃度検出器である。上記パッキン５は，下面がテーパ部２１の開き角αと同傾斜となるように，形成されている。そして，上記パッキン５の下面外周部分における当接部５０１が傾斜状受面１１と当接する。
【００３５】
一方，図７（Ｂ）は，パッキン５を傾斜状受面１１に設けた酸素濃度検出器である。上記パッキン５は，上面が斜面状受面１１の開き角βと同傾斜となるように形成されている。そして，上記テーパ部２１の外周部分における当接部２０１はパッキン５の上面外周部分の当接部５０２と当接する。
なお，上記パッキン５は耐熱金属であるＳＵＳ材よりなる。
【００３６】
本例の酸素濃度検出器は，パッキン５が，検出素子２とハウジング１０との間に介設されている。このため，検出素子２にかかる片当たり等による集中荷重の力を，パッキン５自身が歪むことにより，吸収することができる。
その他，実施例１と同様の作用効果を有する。
【００３７】
実施例３
上記実施例１，２は，検出素子とハウジングが直接当接する酸素濃度検出器につき例示したが，本例は，図８に示すごとく，検出素子２とハウジング１０との間に筒状の絶縁碍子４を介設した酸素濃度検出器である。
【００３８】
本例の酸素濃度検出器における検出素子２は，絶縁碍子４に設けられた傾斜状受面４１によって支持されるツバ部を２０有し，上記ツバ部２０は絶縁碍子４の上記傾斜状受面４１に対向する位置にテーパ部２１を有し，該テーパ部２１の外周部分には絶縁碍子４の傾斜状受面４１と当接する当接部２０１を有する。
【００３９】
そして，上記検出素子２は上記当接部２０１に設けたパッキン５１を介してのみ，絶縁碍子４の傾斜状受面４１に支承されている。
上記絶縁碍子４は，上部より下部の口径が小さい，筒状のセラミック体である。そして，ツバ部２０におけるテーパ部２１の開き角α（度）と，上記絶縁碍子４における傾斜状受面４１の開き角γ（度）との間には，α＞γの関係が成立している。
【００４０】
なお，上記パッキン５１は下面がテーパ部２１の開き角αと同傾斜となるように，形成されている。そして，上記パッキン５１の外周部分における当接部５１１が傾斜状受面４１と当接する。
【００４１】
一方，上記絶縁碍子４は，ハウジング１０に設けられた傾斜状受面１１によって支持されるテーパ部４２を有しており，かつ該テーパ部４２はハウジング１０の上記傾斜状受面１１に対向する位置にある。
そして，上記テーパ部４２の外周部分にはハウジング１０の傾斜状受面１１と当接する当接部４２１を有し，上記絶縁碍子４は上記当接部４２１に設けたパッキン５２を介してのみ，ハウジング１０の傾斜状受面１１に支承されている。
【００４２】
また，上記絶縁碍子４におけるテーパ部４２の開き角δ（度）と，上記ハウジング１０における傾斜状受面１１の開き角β（度）との間には，δ＞βの関係が成立している。
【００４３】
なお，上記パッキン５２は上記当接部に対して下面がテーパ部４２の開き角δと同傾斜となるように形成されている。そして，上記パッキン５２の外周部分における当接部５２１は傾斜状受面１１と当接する。
その他は，実施例１と同様である。
【００４４】
本例の酸素濃度検出器は，絶縁碍子４によって，検出素子２の外側面に形成する電極とハウジング１０との絶縁を図ると共に，素子組付において素子割れの生じにくい酸素濃度検出器を供給することができる。
その他，実施例１と同様の作用効果を有する。
【００４５】
なお，絶縁碍子４におけるテーパ部４２は，実施例１において，図６を用いて説明したのと同様の理由により，該テーパ部４２における外周部分の当接部４２１において，ハウジングと当接することが好ましい。
本例の絶縁碍子４においては，テーパ部４２の開き角δ（度）と，上記傾斜状受面１１の開き角β（度）との間に，δ＞βの関係が成立している。従って，絶縁碍子４の傾斜状受面１１から受ける応力は最小となり，絶縁碍子４の破損等も生じない。
【００４６】
実施例４
上記実施例１〜３は，コップ型検出素子を用いた酸素濃度検出器につき例示したが，本例は，図９〜図１２に示すごとく，積層型の検出素子３を用いた酸素濃度検出器１である。
即ち，本例の酸素濃度検出器１は，図９〜図１１に示すごとく，筒状のハウジング１０と，該ハウジング１０内に絶縁碍子４を介して挿入配置された積層型の検出素子３よりなる。上記積層型の検出素子３は平板状で，ヒータを内蔵している。
【００４７】
そして，上記検出素子３は絶縁碍子４に設けられた傾斜状受面４１によって支持されるツバ部３０を有しており，上記ツバ部３０は絶縁碍子４の傾斜状受面４１に対向する位置にテーパ部３１を有し，該テーパ部３１の外周部分には絶縁碍子４の傾斜状受面４１と当接する当接部３０１を有している。
また，図１２に示すごとく，上記検出素子３は上記当接部３０１を介してのみ絶縁碍子４の傾斜状受面４１に支承されている。
【００４８】
一方，上述の実施例３と同様に，上記絶縁碍子４はハウジング１０に設けられた傾斜状受面１１によって支持されるテーパ部４２を有しており，かつ該テーパ部４２はハウジング１０の上記傾斜状受面１１に対向する位置にある。そして，上記テーパ部４２の外周部分にはハウジング１０の傾斜状受面１１と当接する当接部を有し，上記絶縁碍子４は上記当接部に設けたパッキン５２を介してのみ，ハウジング１０の傾斜状受面１１に支承されている。
【００４９】
なお，上記検出素子３は，大気導入等に用いる細孔３９９をその軸方向に有している。
その他は，実施例１と同様である。
【００５０】
積層型の検出素子３はコップ型の検出素子２に比べ，傾斜状受面１１において支持される当接部３０１が狭いため，テーパ部３１に作用する応力が大きくなる。
本例の酸素濃度検出器は，検出素子３を大型化することなく，素子割れを生じないよう組付けることができる。
その他，実施例１と同様の作用効果を有する。
【００５１】
参考例１
本例は，図１３に示すごとく，検出素子３における当接部３０２を曲面とした酸素濃度検出器である。
即ち，本例は，上述の実施例４と同様の酸素濃度検出器であって，筒状のハウジング１０と，該ハウジング１０内に絶縁碍子４を介して挿入配置された積層型の検出素子３よりなる。上記検出素子３は絶縁碍子４に設けられた傾斜状受面４１と当接する当接部３０２を有しており，該当接部３０２は円弧状の曲面よりなる。上記曲面は，ツバ部３０におけるテーパ部３１と側面３９との境界にある稜線を面取りすることにより構成されている。
その他は，実施例１と同様である。
【００５２】
本例の酸素濃度検出器は，当接部３０２が曲面である。これにより，上記当接部３０２にかかる力を分散させ，検出素子３にかかる応力をより軽減させることができる。
その他，実施例１と同様の作用効果を有する。
【００５３】
参考例２
本例は，図１４に示すごとく，検出素子３の当接部３０３を突出部とした酸素濃度検出器である。
即ち，本例は，上述の実施例４と同様の酸素濃度検出器であって，筒状のハウジング１０と，該ハウジング１０内に絶縁碍子４を介して挿入配置された積層型の検出素子３よりなる。上記検出素子３は絶縁碍子４に設けられた傾斜状受面４１と当接する当接部３０３を有しており，該当接部３０３は傾斜状受面４１に向かって突出した突出部である。なお，上記突出部は当接部３０３の全面に形成されている。
その他は，実施例１と同様である。
【００５４】
本例の酸素濃度検出器は，検出素子３のテーパ部３１における外周部において確実に力を受けることができる。
その他，実施例１と同様の作用効果を有する。
【００５５】
参考例３
本例は，図１５に示すごとく，絶縁碍子４の当接部を突出部４０３とした酸素濃度検出器である。
即ち，上述の実施例４と同様の酸素濃度検出器であって，筒状のハウジング１０と，該ハウジング１０内に絶縁碍子４を介して挿入配置された積層型の検出素子３よりなる。上記検出素子３は絶縁碍子４に設けられた傾斜状受面４１と当接する当接部３０１を有している。一方，絶縁碍子４の上記傾斜状受面４１には，上記当接部３０１に向かって突出する突出部４０３が設けてある。なお，上記突出部４０３は上記当接部３０１の全面を受けている。
その他は，実施例１と同様である。
【００５６】
本例の酸素濃度検出器は，複雑形状の設計が容易な絶縁碍子４のみの形状対応で本発明の構成を形成することができる。
その他，実施例１と同様の作用効果を有する。
【図面の簡単な説明】
【図１】実施例１における，酸素濃度検出器の要部説明図。
【図２】実施例１における，酸素濃度検出器の断面図。
【図３】実施例１における，酸素濃度検出器の要部説明図。
【図４】図３における，Ａ−Ａ矢視断面図。
【図５】実施例１における，ツバ部とハウジングの当接部近傍の説明図。
【図６】実施例１における，作用効果を示す説明図。
【図７】実施例２における，パッキンを有する２種類の酸素濃度検出器の要部説明図。
【図８】実施例３における，絶縁碍子を有する酸素濃度検出器の要部説明図。
【図９】実施例４における，積層型検出素子の酸素濃度検出器の要部説明図。
【図１０】実施例４における，積層型検出素子の斜視図。
【図１１】実施例４における，積層型検出素子の要部拡大図。
【図１２】実施例４における，積層型検出素子の要部説明図。
【図１３】参考例１における，当接部が曲面である酸素濃度検出器の要部説明図。
【図１４】参考例２における，当接部が突出部である酸素濃度検出器の要部説明図。
【図１５】参考例３における，傾斜状受面に突出部を有する酸素濃度検出器の要部説明図。
【図１６】従来例における，検出素子の要部説明図。
【符号の説明】
１．．．酸素濃度検出器，
１０．．．ハウジング，
１１．．．傾斜状受面，
２，３．．．検出素子，
２０．．．ツバ部，
２１．．．テーパ部，
２０１．．．当接部，
４．．．絶縁碍子，
４０３．．．突出部，
５，５１，５２．．．パッキン，
【図１】
0003588842.tif 000002
【図２】
0003588842.tif 000003
【図３】
0003588842.tif 000004
【図４】
0003588842.tif 000005
【図５】
0003588842.tif 000006
【図６】
0003588842.tif 000007
【図７】
0003588842.tif 000008
【図８】
0003588842.tif 000009
【図９】
0003588842.tif 000010
【図１０】
0003588842.tif 000011
【図１１】
0003588842.tif 000012
【図１２】
0003588842.tif 000013
【図１３】
0003588842.tif 000014
【図１４】
0003588842.tif 000015
【図１５】
0003588842.tif 000016
【図１６】
0003588842.tif 000017